(57)【要約】【課題】本発明は、住宅全室を対象として、換気を含めて必要にして十分な空気調和効果を確保し、空調ユニットの小型化を図るとともに、ファンの低出力化および施工性の向上を得る空気調和装置を提供する。【解決手段】複数の部屋Ｒと、廊下等の共有スペース１１とを有する住宅を対象とし、共有スペースの天井裏もしくは床下に配置され熱交換器２３やファン２４などを収容するとともに、吹出し口２２ａと、共有スペースに露出して取付けられる化粧パネル１８ｄおよび化粧パネルに設けられ共有スペースに連通する吸込み口２２とを備えた空調ユニット１０と、各部屋の天井、壁、床の少なくとも１カ所に配置され吹出し口を備えた通気ユニット１８と、通気ユニットと空調ユニットの吹出し口とを連通するダクト１６と、共有スペースに設けられ季節等の環境条件に応じて動作する換気ユニット２０とを具備する。【選択図】　　図１
2004003837.tif 000002
【特許請求の範囲】
【請求項１】
複数の部屋と、これらの各部屋に面した廊下などの共有スペースとを有する住宅を対象とした空気調和をなす空気調和装置において、
上記共有スペースの天井裏もしくは床下に配置され、熱交換器やファンなどを収容するとともに、吹出し口と、上記共有スペースに露出して取付けられる化粧パネルと、この化粧パネルに設けられ上記共有スペースに連通する吸込み口とを備えた空調ユニットと、
各部屋の天井、壁、床の少なくとも１カ所に配置され、部屋に対する熱交換空気の吹出し口を備えた通気ユニットと、
各部屋の上記通気ユニットと上記空調ユニットの吹出し口とを連通するダクトと、
上記共有スペースに設けられ、季節等の環境条件に応じて動作する換気ユニットと
を具備することを特徴とする空気調和装置。
【請求項２】
上記空調ユニットは、建物の各階の共有スペースにそれぞれ設けられることを特徴とする請求項１記載の空気調和装置。
【発明の詳細な説明】
【０００１】
【発明の属する技術分野】
本発明は、住宅全室を含む複数室を対象とした同時空気調和をなすための空気調和装置に関する。
【０００２】
【従来の技術】
従来における住宅全室を含む複数室の同時空気調和をなす空気調和装置は、図１４に概略的に示すように構成される。
すなわち、特定の部屋Ｒ（Ｘ室）の天井裏ａに空調ユニット１が吊設される。この空調ユニット１内には、図示しない室内熱交換器やファンなどが収容され、吸込み口を備えた化粧パネル１ａが、その部屋の天井２から露出している。
【０００３】
空調ユニット１両側面には、複数の吹出し口体３が設けられ、それぞれの吹出し口体にダクト４が接続される。これらダクト４は、それぞれ各部屋Ｒ，Ｒの天井部まで延出され、かつ吹出し口５として開口する。
【０００４】
このようにして空気調和装置が構成されていて、空調ユニット１内で熱交換された空気はダクト４を介して各部屋Ｒに供給される。各部屋Ｒを空気調和したあとの熱交換空気は特定の部屋であるＸ室に集中するよう導かれ、ここから化粧パネル１ａの吸込み口を介して空調ユニット１内に吸込まれて、上述の作用を繰り返す。
【０００５】
各部屋Ｒにおける室温を検知するための手段として、各部屋に設置してあるリモコン６に図示しない室温センサを備えていて、この室温センサの室温検知温度と、リモコン６に対する設定温度との差から、空調ユニット１内の制御回路がダンパ７に開度調整信号を送って、必要な空気調和制御をなす。
【０００６】
【発明が解決しようとする課題】
このようにして、特定の部屋であるＸ室は空調ユニット１と直接対向し、それ以外の各部屋Ｒと空調ユニット１とはダクト４を介して連通しており、ダンパ７の開度調節によって全室を含む複数室を対象とした空気調和の制御をなす。
【０００７】
しかしながら、空調ユニット１からより離間した位置にある部屋Ｒに対しては、それだけダクト４のダクト長さが長くなり、ダクト内の圧力損失が大きくなってしまう。必要にして十分な熱交換空気量を確保するためには、各部屋Ｒへ熱交換空気を送風するファンの回転数を上げるか、もしくはファン直径がより大であるものを選択しなければならない。
【０００８】
この場合、効率のよい空気調和をなす反面、ファン回転数を上げた場合は、消費電力が大きくなってランニングコストに悪影響を与えるとともに、騒音の増大がともなってしまう。また、ファン直径を大とすると、空調ユニットの筺体自体の大型化を避けられない。同時に、リモコンを各部屋に取付ける作業がともなって、施工性が悪いなどの不具合があった。
【０００９】
本発明は、上記事情に鑑みなされたものであり、その目的とするところは、住宅全室を対象として、換気を含めて必要にして十分な空気調和効果を確保することを前提にして、空調ユニットの小型化を図るとともに、ファンの低出力化および施工性の向上を得る空気調和装置を提供しようとするものである。
【００１０】
【課題を解決するための手段】
上記目的を満足するための本発明は、複数の部屋と、これらの各部屋に面した廊下などの共有スペースとを有する住宅を対象とした空気調和をなす空気調和装置において、共有スペースの天井裏もしくは床下に配置され熱交換器やファンなどを収容するとともに吹出し口と共有スペースに露出して取付けられる化粧パネルおよび化粧パネルに設けられ共有スペースに連通する吸込み口とを備えた空調ユニットと、各部屋の天井、壁、床の少なくとも１カ所に配置され部屋に対する熱交換空気の吹出し口を備えた通気ユニットと、各部屋の通気ユニットと空調ユニットの吹出し口とを連通するダクトと、上記共有スペースに設けられ季節等の環境条件に応じて動作する換気ユニットとを具備する。
【００１１】
さらに、上記空調ユニットは、建物の各階の共有スペースにそれぞれ設けられる。
【００１２】
【発明の実施の形態】
以下、本発明の一実施の形態を、図面を参照して説明する。
図１は、一般的な２階建て住宅と、この住宅に配備される空気調和装置の構成を示す。
【００１３】
１階用空調ユニット１０Ａが、１階の廊下および１階から２階に通じる階段などの１階共有スペース１１Ａの天井裏１２に配置される。２階用空調ユニット１０Ｂが、２階の廊下および階段踊り場など２階共有スペース１１Ｂの天井裏である、いわゆる小屋裏１３に配置される。
【００１４】
上記１，２階用空調ユニット１０Ａ，１０Ｂとも、住宅外部に配置され、図示しない室外熱交換器や送風機および圧縮機などを収容する室外ユニット１４と冷媒管１５を介して冷凍サイクルを構成するように接続される。
【００１５】
上記１階用空調ユニット１０Ａには、その両側面にそれぞれ一対づつの吹出し用のダクト１６が接続される。これらダクト１６の先端部は、それぞれ１階の各部屋Ｒまで延出される。
【００１６】
なお、ここでは部屋Ｒとして、いわゆる居室を想定しているが、この部屋の範疇に、台所、浴室、洗面所、トイレなどを含めても何らの支障もない。ただし、上記台所は同時給排気による換気装置が、かつ浴室、洗面所およびトイレなどは排気による換気装置の設置が望ましい。
【００１７】
１階の各部屋Ｒには、天井１７に後述する通気ユニット１８が設けられており、それぞれの通気ユニット１８に上記ダクト１６の先端部が接続される。
２階用空調ユニット１０Ｂには、側面に一対の吹出し用のダクト１６が接続され、これらダクトの先端部は、それぞれ２階の各部屋Ｒまで延出される。この天井１７にも後述する通気ユニット１８が設けられており、それぞれの通気ユニットに上記ダクト１６の先端部が接続される。
【００１８】
また、ここでは上記２階用空調ユニット１０Ｂに隣接した状態で、自然共生換気ユニット２０が配置される。この換気ユニット２０の共有スペース１１Ｂに対向する面に図示しない換気口が設けられ、小屋裏１３の対向面には住宅の軒先から住宅外部に開口するダクト２１が接続されている。
【００１９】
上記自然共生換気ユニット２０は、季節等の環境条件に応じて動作する。たとえば、夏季夜間や中間季（低温低湿時）に、新鮮外気を一旦上記共有スペース１１Ｂへ取入れる。夏季昼間など高温時に、小屋裏１３の熱を排気する。
【００２０】
さらに、中間季において、各部屋Ｒの汚染された空気を共有スペース１１Ｂを介して排出し、かつ新鮮外気を取り入れる。また、冬季には暖められている小屋裏１３の熱を一旦共有スペース１１Ｂに導いて補助暖房熱源とする、などの作用をなす。
【００２１】
図２は、この空気調和装置を模式的に示す。１階用と２階用とを総称して示す空調ユニット１０は、この空調ユニット１０の下面を構成する化粧パネル２１が１階用と２階用とを総称して示す共有スペース１１の天井１７に取付けられ、かつ露出する。
【００２２】
この化粧パネル２１には吸込み口２２が設けられていて、共有スペース１１に連通する。この吸込み口２２に対向して、図示しないフィルタが交換自在に取付けられる。
【００２３】
空調ユニット１０内には、室内熱交換器２３とファン２４が収容される。ファン２４の吸込み側は室内熱交換器２３を介して上記化粧パネル２１の吸込み口２２に対向しており、吹出し側はユニット側面に設けられ上記ダクト１６が接続する吹出し口２２ａに対向している。
【００２４】
上記通気ユニット１８は、図５にも示すように、その側面部に上記ダクト１６が接続される吸込み口体１８ａを備え、下面部は部屋Ｒの天井１７から部屋内に臨ませられる吹出し口１８ｂとなっている。吹出し口１８ｂの側部には、補助吸込み口１８ｃが設けられていて、室温センサ２５が取付けられる。
【００２５】
また、この通気ユニットの下面の天井１７には化粧パネル１８ｄが取付けられている。
そして、通気ユニット１８内にはシロッコファン２６が収容される。シロッコファン２６は、回転にともなって端面方向から空気を吸込み、周方向から吹出す。このシロッコファン２６の吸込み側に上記ダクト１６が接続される吸込み口体１８ａおよび補助吸込み口１８ｃと室温センサ２５が位置し、吹出し側に吹出し口１８ｂが対向する。
【００２６】
なお、上記各部屋Ｒの共有スペース１１と面する、たとえばドアには、そのアンダーカットやガラリなど共有スペースと連通する連通部２７が必要であり、この連通部も空気調和装置の構成要件となる。
【００２７】
このようにして構成される空気調和装置であり、先に説明した室外ユニット１４の圧縮機を駆動して冷凍サイクル運転を開始する。空調ユニット１０においては、ファン２４が駆動され室内熱交換器２３へ熱交換空気を導き、熱交換作用をなす。
【００２８】
この室内熱交換器２３で熱交換された空気は吹出し口２２ａを介してダクト１６へ吹出され、今度は、通気ユニット１８に配置されるシロッコファン２６によって、通気ユニット１８へ効率よく吸込まれる。そして、通気ユニット１８の吹出し口１８ｂから部屋Ｒ内へ吹出され、この空気調和を行う。
【００２９】
空気調和をしたあとの熱交換空気は、共有スペース１１に面した連通部２７を介して、部屋Ｒから共有スペース１１へ導かれ、ここに一旦集溜されたあと天井１７に取付けられる化粧パネル２１の吸込み口２２から空調ユニット１０に吸込まれ、上述のサイクルを循環する。
【００３０】
一方、室温センサ２５は、補助吸込み口１８ｃを流れる熱交換空気から室温を検知して、その検知信号を図示しない制御回路へ送る。制御回路では、この温度検知信号とリモコンなどに対して設定された設定温度の差から必要な運転条件が得られるよう制御する。
【００３１】
たとえば、上記室外ユニット１４の圧縮機の運転周波数を調節したり、空調ユニット１０に備えられるファン２４の回転数を調整して風量を制御したり、通気ユニット１８に備えられるシロッコファン２６の回転数を調整して風量を制御する。
【００３２】
このように、新らたな空気調和装置は通気ユニット１８を備え、ここにはシロッコファン２６を配置して、空調運転時に駆動することにより、従来構成のものよりも静圧を約３〜５ｍｍＡｑ高くとることができる。
【００３３】
したがって、空調ユニット１０から各部屋Ｒに開口する吹出し口１８ｂまでの圧力損失が小さくてすみ、空調ユニット１０のファン２４の回転数を従来のものよりも下げることができ、送風騒音の低減を得られる。もしくは、このファン２４の直径を小さくして、空調ユニット１０自体の小型化を図れる。
【００３４】
具体的な数値を上げて説明すると、以下のようになる。
たとえば、Ａ室およびＢ室の２つの部屋を同時に暖房する場合、Ａ室の設定温度が２５°Ｃで、検知された室温が１５°Ｃであり、Ｂ室の設定温度が２２°Ｃで、検知された室温が１５°Ｃであったとする。
【００３５】
このとき制御回路は、空調ユニット１０内のファン２４を強風運転とする制御信号を送るとともに、Ａ室の通気ユニットシロッコファン２６を１００％駆動し、Ｂ室の通気ユニットシロッコファン２６を６０％駆動するよう風量制御する。したがって、各部屋の設定温度に対して室温を短時間で合致させられる。
【００３６】
なお、上記空調ユニット１０および通気ユニット１８を天井裏１２に配置したが、これに限定されるものではなく、図に二点鎖線で示すように、空調ユニット１０を床下２８に配置し、ここからダクト１６を介して通気ユニット１８に接続するようにしてもよい。
【００３７】
そして、通気ユニット１８を天井１７に配置したが、これに限定されるものではなく、部屋Ｒの壁に取付けたり、いわゆるビルトイン式に壁内に埋設したり、床面に配置することもできる。
【００３８】
図３に示すような空気調和装置であってもよい。（なお、後述する構成部品を除いて、他の部品は先に説明したものと同一であるので、ここでは同番号を付して新たな説明は省略する。そして、図の一部は省略してある。以下、同様）
同図の空調ユニット１０の各吹出し口２２ａにダンパ２９を備える。それぞれのダンパ２９は、上記制御回路からの制御信号により図示しない駆動モータによって開度量を調整されるようになっている。
たとえば、Ｃ室，Ｄ室、Ｅ室およびＦ室の４つの部屋を暖房する場合、表１に示すような制御となる。
【００３９】
【表１】
2004003837.tif 000003
【００４０】
Ｅ室の設定温度を２５°Ｃ、この部屋を除く各部屋の設定温度を２３°Ｃとする。これに対してＣ室およびＥ室の室温センサ２５はそれぞれ室温１５°Ｃを検知し、Ｄ室の室温センサ２５は室温２０°Ｃを検知し、Ｆ室の室温センサ２５は室温２３°Ｃを検知して、その検知信号を制御回路へ送る。
【００４１】
このときのＣ，Ｄ，Ｅ室の通気ユニット１８に接続されるダクト１６内のダンパ２９は、それぞれ全開となるよう制御され、Ｆ室の通気ユニット１８に接続されるダクト１６内のダンパ２９のみ全閉に制御される。
【００４２】
そしてさらに制御回路は、Ｃ室の通気ユニット１８内のシロッコファン２６を９０％運転、Ｄ室の通気ユニットシロッコファン２６を３０％運転、Ｅ室の通気ユニットシロッコファン２６を１００％運転、Ｆ室の通気ユニットシロッコファンは停止する制御をなす。
【００４３】
すなわち、Ｆ室においては室温がすでに設定温度２３°Ｃに到達しているので、ダンパ２９を全閉状態にしてダクト１６から通気ユニット１８へ熱交換空気が行かないようにするとともに、通気ユニット１８内のシロッコファン２６を停止して少しの吹出しも行わない。
【００４４】
Ｆ室を除く、Ｃ室ないしＥ室においては、それぞれの室温が設定温度に到達上昇するよう、ダンパ２９とシロッコファン２６に対する必要な量の制御が行われる。したがって、各部屋の設定温度に対して室温を短時間で合致させられる。
【００４５】
図４に示すような、空気調和装置であってもよい。ここでは、通気ユニット１８の吸込み口体１８ａにダンパ２９、もしくはダンパと同一の作用をなすＶＡＶユニットを取付ける。
【００４６】
この装置でも、先に図３で説明した空気調和装置と全く同様の作用を行う。そして、室温に対する設定温度に応じてダンパ２９もしくはＶＡＶユニットと、通気ユニット１８内のシロッコファン２６に対する制御をなす。
【００４７】
図６に示すような、空気調和装置であってもよい。（さらに図の一部を省略してある。以下同様）
この場合、上記空調ユニット１０と通気ユニット１８は、先に説明したものと全く同様の形状構造をなすが、上記ダクト１６に代えて、チャンバボックス３０を備えた。
【００４８】
すなわち、空調ユニット１０からそれぞれの通気ユニット１８に亘ってチャンバボックス３０で覆われる。このチャンバボックス３０は、空調ユニット１０の上面部と側面部一部を覆い、ここから各通気ユニット１８の上面部と両側面部を覆うよう、天井１７に対していわばトンネル状の分岐部を有する。
【００４９】
当然、チャンバボックス３０の内面側は全て断熱材が貼着されていて、小屋裏１２に対して断熱構造となっていることは、先に説明したダクト１６が断熱構造となっていることと同様である。
【００５０】
このような構成であれば、空調ユニット１０の吹出し口２２ａから吹出される熱交換空気はチャンバボックス３０に沿って導かれ、各通気ユニット１８から各部屋Ｒに吹出される。すなわち、先に説明した空気調和装置と全く同様の作用をなす。
【００５１】
そして、ダクトに代ってチャンバボックス３０を備えたことにより、熱交換空気を導くための流路の断面積を大きくとることができ、そのため各部屋Ｒに対する吹出し口１８ｂまでの圧力損失がさらに小さくなって、ファン回転数を低下したり、ファン直径を小さくすることができる。
【００５２】
なお、上記チャンバユニット３０を備えた空気調和装置においても、空調ユニット１０を床下に配置し、これと部屋Ｒの天井、壁もしくは床に配置される通気ユニット１８をチャンバユニット３０で覆うようにしてもよい。
【００５３】
図７に示すような、空気調和装置であってもよい。これは先に説明したチャンバボックス３０内で、かつ通気ユニット１８の吸込み側にダンパ２９を配置する構成である。
【００５４】
設定温度と検知した室温との差から、通気ユニット１８内のシロッコファン２６の回転数とダンパ２９の開度の調整をなし、各部屋Ｒの室温を設定温度に早急に合致させ、かつきめの細かい室温制御が可能である。
たとえば、表２に示すような室温制御がある。
【００５５】
【表２】
2004003837.tif 000004
【００５６】
すなわち、Ｇ室、Ｈ室、Ｉ室の３つの部屋を暖房する場合、Ｇ室の設定温度が２５°Ｃで、検知した室温が１５°Ｃ。Ｈ室の設定温度が２２°Ｃで、検知した室温が１５°Ｃ。Ｉ室の設定温度が２３°Ｃで、検知した室温が２３°Ｃであったとする。
【００５７】
このとき制御回路は、空調ユニット１０のファン２４を強風運転となるよう制御し、Ｇ室に連通するダンパ２９を全開し、通気ユニットシロッコファン２６を１００％運転する。Ｈ室に連通するダンパ２９も全開し、かつ通気ユニットシロッコファン２６を６０％運転する。Ｉ室に連通するダンパ２９のみ全閉となし、通気ユニットシロッコファン２６は停止する。
【００５８】
図８に示すような、空気調和装置であってもよい。この場合、当然、空調ユニット１０およびチャンバボックス３０は備えられるが、吹出し口１８ｂを残して通気ユニットは不要とし、構成を簡略化している。上記チャンバボックス３０は、空調ユニット１０から各部屋Ｒの天井１７に開口する上記吹出し口１８ｂに亘って設けられる。
【００５９】
このような構成であっても、従来の単なるダクトの配置と比較して空気流路の断面積を大きくとることができ、吹出し口１８ｂまでの圧力損失が小さくなり、上述の実施の形態に近い効果を奏する。
【００６０】
図９に示すような、空気調和装置であってもよい。ここでも空調ユニット１０およびチャンバボックス３０は備えられるが、吹出し口１８ｂを残して通気ユニットは不要とし、構成を簡略化している。上記チャンバボックス３０は、空調ユニット１０から各部屋Ｒの天井１７に開口する吹出し口１８ｂに亘って設けられる。そして、上記吹出し口１８ｂにはダンパ２９が設けられる。
【００６１】
上記チャンバボックス３０を用いたことにより、空気流路の断面積が大きくなり、吹出し口１８ｂまでの圧力損失が小さくなることは勿論、ダンパ２９の開度調整によってさらに細かい室温制御が可能となる。
【００６２】
図１０に示すような、空気調和装置であってもよい。
室内熱交換器５０やファン５１を収容する空調ユニット５２が、廊下などの共有スペース５３の天井裏５４に配置される。空調ユニット５２の共有スペース対向面に吸込み口５５が設けられ、吸込み温度センサ５６が取付けられる。
【００６３】
各部屋５７の天井５８にはファン５９を備えた通気ユニット６０が配置されていて、吹出し口が室内に臨まされる。これら通気ユニット６０と上記空調ユニット５２とは、それぞれダクト６１を介して連通される。
【００６４】
一方、各部屋５７の共通スペース５３に面したドアなどに連通部６２が設けられていて、互いの部位に熱交換空気が流通する。それぞれの連通部６２の付近には、室温センサ６３が取付けられる。
【００６５】
これら室温センサ６３と上記吸込み温度センサ５６とは制御回路６４に電気的に接続されていて、それぞれ検知温度の信号をこの制御回路６４へ送るようになっている。
【００６６】
上記空調ユニット５２は、図示しない冷媒管を介して住宅外部に配置される室外ユニット６５と冷凍サイクルを構成するよう連通される。この室外ユニット６５には、室外熱交換器６６、圧縮機６７およびファン６８などが収容される。　そして、上記空調ユニット５２および室外ユニット６５もともに上記制御回路６４と電気的に接続される。
【００６７】
このようにして構成される空気調和装置には、図１１に示すようなリモコン（遠隔操作盤）７０が付属される。このリモコン７０は、ワイヤードまたはワイヤレスリモコンであって、上記通気ユニット６０を配置した各部屋５７に配置される。
【００６８】
上記リモコン７０は、その表面である主操作面７１の裏側に、図示しない副操作面があって、二重構成になっている。副操作面を開放するには主操作面７１を回動もしくはスライドして露出する。
【００６９】
主操作面７１には、優先運転を指定するためのパワフル指定釦７２と、冷房運転や暖房運転、除湿運転などのモードを切換えるためのモード切換え釦７３および運転／停止釦７４などのほかに、液晶パネルからなる表示窓７５がある。副操作面には、風向、風量設定釦、予約釦、タイマ釦、温度設定釦ほかの各種の釦が配置される。
【００７０】
しかして、操作者が空調運転時にリモコン７０のパワフル指定釦７２を押すと、制御回路６４はどこの部屋５７のリモコン７０のパワフル指定釦７２であるか、すなわち優先運転が指定されたことを認識して、その釦が押された部屋５７における通気ユニット６０のファン５９の回転数を増やす。
【００７１】
上記パワフル選定釦７２が押された部屋５７には、他の部屋５７へ導かれる熱交換空気の風量よりも多くの風量が吹出されることになり、他の部屋よりも優先した運転がなされて、より効率のよい空調運転がなされる。
【００７２】
上記制御回路６４による優先運転が指定された部屋５７に対する制御システムの全容は、以下の通りである。
その１として、制御回路６４は、優先運転が指定された部屋５７を認識すると、優先運転が指定された部屋５７の通気ユニットファン５９の回転数を、優先運転が指定されなかった部屋５７の通気ユニットファン５９の回転数よりも増やす制御をなす。
【００７３】
したがって、優先運転が指定された部屋５７に対する熱交換空気風量が、優先運転が指定されなかった部屋５７に対する熱交換空気風量よりも増大して、優先的な空調運転が実施される。
【００７４】
その２として、制御回路６４は、優先運転が指定された部屋５７を認識すると、優先運転が指定されない部屋５７の通気ユニットファン５９の回転数を、優先運転が指定された部屋５７に取付けられた通気ユニットファン５９の回転数よりも下げる制御をなす。
【００７５】
したがって、優先運転が指定された部屋５７に対する熱交換空気風量が、優先運転が指定されない部屋５７に対する熱交換空気風量よりも増大して、優先的な空調運転が実施される。
【００７６】
その３として、各部屋５７に取付けられるファン５９を備えた通気ユニット６０に代って、同図の丸印内に示すように、制御回路６４の制御信号にもとづいて、回動量の調整自在なダンパ６９ａを収容するダンパユニット６９を備える。
【００７７】
制御回路６４は、優先運転が指定された部屋５７を認識すると、その優先運転が指定された部屋に備えられるダンパユニット６９ａのダンパ６９の開度を、優先運転が指定されない部屋５７に取付けられたダンパユニット６９ａのダンパ６９の開度よりも大きくする制御をなす。
【００７８】
したがって、優先運転が指定された部屋５７に対する熱交換空気風量が、優先運転が指定されない部屋５７に対する熱交換空気風量よりも増大して、優先的な空調運転が実施される。
【００７９】
その４として、各部屋５７にダンパユニット６９を備えた場合、制御回路６４は、優先運転が指定された部屋５７を認識すると、優先運転が指定されない部屋５７に備えられるダンパユニット６９のダンパ６９ａの開度を、優先運転が指定された部屋に取付けられたダンパユニット６９のダンパ６９ａの開度よりも小さくする制御をなす。
【００８０】
したがって、優先運転が指定されない部屋５７に対する熱交換空気風量が下り、相対的に優先運転が指定された部屋５７に対する熱交換空気風量が増大して、優先的な空調運転が実施される。
【００８１】
なお上記実施例においては、優先運転を指定する手段としてリモコン７０のパワフル指定釦７２を適用したが、これに限定されるものではなく、連通部６２に備えられる室温センサ６３と、空調ユニット５２の吸込み口５５に備えられる吸込み温度センサ５６の検知温度との差から、制御回路６４が優先運転を指示するよう制御してもよい。
【００８２】
たとえば、図１２に示すように、通気ユニット６０を備えた部屋がＫ室，Ｌ室，Ｍ室，Ｎ室あって、それぞれ空調ユニット５２から熱交換空気の吹出しがなされるものとする。
【００８３】
冷房安定時に、Ｋ室の室温と吸込み温度との差が、他の部屋の室温と吸込み温度との差よりも２°Ｃ高い状態であるならば、制御回路６４は自動的にＫ室を優先運転の対象として選定し、通気ユニット６０のファン５９の回転数を、通常運転のファン基準回転数に対してＬ室，Ｍ室，Ｎ室とも−２００ｒｐｍとなるよう制御する。同時に、Ｋ室の通気ユニット６０のファン５９の回転数は、通常運転のファン基準回転数に対して−４００ｒｐｍとなるよう制御する。
【００８４】
Ｋ室の室温と吸込み温度との差が、他の部屋の室温と吸込み温度との差よりも１〜２°Ｃ高い状態となったならば、制御回路６４は通気ユニット６０のファン５９の回転数をＬ室，Ｍ室，Ｎ室とも、通常運転のファン基準回転数に対して−１００ｒｐｍとなるよう制御する。同時に、Ｋ室の通気ユニット６０のファン５９の回転数は、通常運転のファン基準回転数に対して＋２００ｒｐｍとなるよう制御する。
【００８５】
このようなファン５９の回転数に対する補正制御によって、Ｋ室に対する機外静圧が上がって熱交換空気の風量が増え、優先的な冷房運転が実施されて各部屋が全て同一温度に保持される。
【００８６】
また、図１３に示すように、同じ冷房安定時で、Ｋ室とＭ室の室温と吸込み温度との差が、他の部屋の室温と吸込み温度との差よりも２°Ｃ高い状態であるならば、制御回路６４は自動的にＫ室とＭ室を優先運転の対象として選定し、通気ユニット６０のファン５９の回転数を、通常運転のファン基準回転数に対してＬ，Ｎ室とも−２００ｒｐｍとなるよう制御する。同時に、Ｋ，Ｍ室の通気ユニット６０のファン５９の回転数は、通常運転のファン基準回転数に対して＋２００ｒｐｍとなるよう制御する。
【００８７】
そして、Ｋ室とＭ室の室温と吸込み温度との差が、他の部屋の室温と吸込み温度との差よりも１〜２°Ｃ高い状態となったら、制御回路６４は通気ユニット６０のファン５９の回転数をＬ，Ｎ室とも、通常運転のファン基準回転数に対して−１００ｒｐｍとなるよう制御し、Ｋ，Ｍ室の通気ユニットのファン回転数は、通常運転のファン基準回転数に対して＋１００ｒｐｍとなるよう制御する。
【００８８】
このようなファン５９に対する風量制御によって、Ｋ室とＭ室に対する機外静圧が上がって、熱交換空気の風量が増え、優先的な冷房運転が実施されて各部屋が全て同一温度に保持される。
さらに、本発明の要旨を越えない範囲内で種々の変形実施が可能なことは、勿論である。
【００８９】
【発明の効果】
以上説明したように本発明によれば、住宅の全室を含む複数の部屋の換気を含めた空気調和を同時に、かつ効率よく行え、空調ユニットの小型化を図り、ファンの低出力化および施工性が向上する理想の空調効果が得られる。
【図面の簡単な説明】
【図１】本発明の一実施の形態を示し、家屋に備えられる空気調和装置の構成を説明する斜視図。
【図２】同実施の形態の、空気調和装置の構成を説明する概略の縦断面図。
【図３】他の実施の形態の、空気調和装置の構成を説明する概略の縦断面図。
【図４】さらに他の実施の形態の、空気調和装置の構成を説明する概略の縦断面図。
【図５】以上の実施の形態の空気調和装置における通気ユニットの概略の縦断面図。
【図６】さらに他の実施の形態の、空気調和装置の構成を説明する概略の縦断面図。
【図７】さらに他の実施の形態の、空気調和装置の構成を説明する概略の縦断面図。
【図８】さらに他の実施の形態の、空気調和装置の構成を説明する概略の縦断面図。
【図９】さらに他の実施の形態の、空気調和装置の構成を説明する概略の縦断面図。
【図１０】さらに他の実施の形態の、空気調和装置の構成を説明する概略の縦断面図。
【図１１】図１０の空気調和装置に用いられるリモコンの正面図。
【図１２】図１０の空気調和装置における優先運転の制御説明図。
【図１３】図１０の空気調和装置における優先運転の他の制御説明図。
【図１４】従来の形態の、空気調和装置の構成を説明する概略の縦断面図。
【符号の説明】
Ｒ…部屋、１１…共有スペース、１７…天井、１２…天井裏、２８…床下、２３…室内熱交換器、２４…ファン、１８ｂ…吹出し口、１８ｄ…化粧パネル、２２，５５…吸込み口、１０，５２…空調ユニット、２２ａ…（空調ユニットの）吹出し口、１８，６０…通気ユニット、１６，６１…ダクト、２０…自然共生換気ユニット。
【図１】
2004003837.tif 000005
【図２】
2004003837.tif 000006
【図３】
2004003837.tif 000007
【図４】
2004003837.tif 000008
【図５】
2004003837.tif 000009
【図６】
2004003837.tif 000010
【図７】
2004003837.tif 000011
【図８】
2004003837.tif 000012
【図９】
2004003837.tif 000013
【図１０】
2004003837.tif 000014
【図１１】
2004003837.tif 000015
【図１２】
2004003837.tif 000016
【図１３】
2004003837.tif 000017
【図１４】
2004003837.tif 000018